【手続補正書】
【提出日】平成16年5月25日(2004.5.25)
【手続補正１】
【補正対象書類名】明細書
【補正対象項目名】特許請求の範囲
【補正方法】変更
【補正の内容】
【特許請求の範囲】
【請求項１】  窓を窓エンハンスメント装置と組み合わせることにより窓を改良する方法であって、
第１及び第２の反対側の視界面を有する比較的透明な視界窓ガラスを含む窓を準備する段階と、
窓エンハンスメント装置を前記窓に固定するようになっている少なくとも１つの装着手段を準備する段階と、
前記少なくとも１つの装着手段を用いて、エンハンスメント装置が前記視界窓ガラスの少なくとも一部分の上に重なり、エンハンスメント装置が前記少なくとも１つの装着手段と接触しない区域において、窓ガラスとエンハンスメント装置との間に間隙が作り出されるように、窓エンハンスメント装置を前記窓に固定する段階と、
を含むことを特徴とする方法。
【請求項２】  前記少なくとも１つの装着手段は、窓の視界窓ガラス上に取付けられることを特徴とする請求項１に記載の方法。
【請求項３】  少なくとも２つの前記装着手段は、視界窓ガラスの一方の前記視界面上の２つの反対側の縁部分に沿ってそれぞれ配置されることを特徴とする請求項２に記載の方法。
【請求項４】  少なくとも４つの前記装着手段は、視界窓ガラスの一方の前記反対側表面上の上部及び底部に、及び、第１及び第２の縦方向縁部分上にそれぞれ配置されることを特徴とする請求項２に記載の方法。
【請求項５】  前記装着手段は、固定ストリップ、ネジ、釘、ボルト、スナップ、リベット、止め釘、及び、磁性金属棒から成る群から選ばれることを特徴とする請求項１に記載の方法。
【請求項６】  最初に前記窓エンハンスメント装置を比較的堅いガラス又はプラスチック基板に貼合わせる段階、及び、得られた積層体をその後に前記装着手段を用いて前記窓に固定する段階を更に含むことを特徴とする請求項１に記載の方法。
【請求項７】  前記窓エンハンスメント装置は、切換可能なグレイジングであることを特徴とする請求項１に記載の方法。
【請求項８】  前記切換可能なグレイジングは、ＳＰＤフィルム、ＳＰＤ光弁、エレクトロクロミックフィルム又はウインドウ、及び、液晶フィルム又はウインドウから成る群から選ばれることを特徴とする請求項７に記載の方法。
【請求項９】  前記窓エンハンスメント装置は、切換不能な光変調装置であることを特徴とする請求項１に記載の方法。
【請求項１０】  前記切換不能な光変調装置は、着色ウインドウ、スクリーン、太陽光制御フィルム、耐衝撃フィルム、及び、可撓性又は剛性パネルから成る群から選ばれることを特徴とする請求項９に記載の方法。
【請求項１１】  前記少なくとも１つの装着手段は、最初に窓エンハンスメント装置に取付けられ、その結果、前記装着手段を有するエンハンスメント装置は、次に前記装着手段により前記窓に固定されることを特徴とする請求項１に記載の方法。
【請求項１２】  前記窓は、視界窓ガラスを支持するように構成され適合された窓枠部分を更に含み、前記窓枠部分は、上部部材、底部部材、及び、前記上部及び底部部材にそれぞれ結合されて前記窓枠部分を形成する第１及び第２の縦方向側部部材を含むことを特徴とする請求項１に記載の方法。
【請求項１３】  前記少なくとも１つの装着手段は、前記窓枠部分上に取付けられることを特徴とする請求項１２に記載の方法。
【請求項１４】  前記窓エンハンスメント装置を前記窓に固定するための２つの前記装着手段は、前記窓の視界窓ガラスと同一平面の窓枠部分の上部及び底部部材上にそれぞれ取付けられることを特徴とする請求項１３に記載の方法。
【請求項１５】  前記窓エンハンスメント装置を前記窓に固定するための少なくとも２つの前記装着手段は、前記窓の視界窓ガラスと同一平面の前記窓枠部分の前記第１及び第２の縦方向側部部材上にそれぞれ取付けられることを特徴とする請求項１３に記載の方法。
【請求項１６】  前記窓エンハンスメント装置を前記窓に固定するための少なくとも４つの前記装着手段は、前記窓の視界窓ガラスと同一平面の前記窓枠部分の上部部材、底部部材、及び、第１及び第２の縦方向側部部材上に取付けられることを特徴とする請求項１３に記載の方法。
【請求項１７】  前記装着手段は、固定ストリップ、ネジ、釘、ボルト、スナップ、リベット、止め釘、及び、磁性金属棒から成る群から選ばれることを特徴とする請求項１３に記載の方法。
【請求項１８】  窓エンハンスメント装置と窓との間の間隙に配置され、この間隙を所定の幅で維持するようになった少なくとも１つの突出スペーサ部材を前記窓に設ける段階を更に含むことを特徴とする請求項１に記載の方法。
【請求項１９】  窓エンハンスメント装置と窓との間の間隙に配置され、この隙間を所定の幅で維持するようになった少なくとも１つの突出スペーサ部材を前記窓エンハンスメント装置に設ける段階を更に含むことを特徴とする請求項１に記載の方法。
【請求項２０】  前記装着手段は、窓及び窓エンハンスメント装置の両方の上の対応する位置に置かれることを特徴とする請求項１に記載の方法。
【請求項２１】  前記装着手段は、固定ストリップであり、
前記固定ストリップの各々は、実質的に透明である、
ことを特徴とする請求項１に記載の方法。
【請求項２２】  窓エンハンスメント装置を前記窓に固定する前に、窓から埃及び汚れを実質的に除去する段階を更に含むことを特徴とする請求項１に記載の方法。
【請求項２３】  前記少なくとも１つの装着手段には、その少なくとも１つの表面上に、前記窓エンハンスメント装置と前記窓との間の結合を容易にするための接着材料が備えられることを特徴とする請求項１に記載の方法。
【請求項２４】  前記接着材料は、感圧接着剤、熱硬化接着剤、及び、放射線硬化接着剤から成る群から選ばれることを特徴とする請求項２３に記載の方法。
【請求項２５】  前記少なくとも１つの装着手段の接着面を、窓エンハンスメント装置を窓に固定するのにその装着手段を使用する前に剥離紙で保護する段階を更に含み、前記剥離紙は、前記窓エンハンスメント装置を窓に固定する前に除去されることを特徴とする請求項２３に記載の方法。
【請求項２６】  前記少なくとも１つの装着手段は、磁性材料を含み、
前記手段は、窓エンハンスメント装置が前記手段の対応するものの間の磁力により前記窓に少なくとも部分的に固定されるように、窓及び窓エンハンスメント装置の両方の対応する表面上に配置される、
ことを特徴とする請求項１に記載の方法。
【請求項２７】  前記窓は、前記視界窓ガラスを支持するように構成され適合された窓枠部分を更に含み、
前記窓に適用された装着手段は、前記窓枠部分上に配置される、
ことを特徴とする請求項２６に記載の方法。  
【請求項２８】  前記少なくとも１つの装着手段は、フック及びループ構造を含み、
前記装着手段は、対応する前記装着手段の上に位置する前記フック及びループ間の係合により窓エンハンスメント装置が少なくとも部分的に前記窓に固定されるように、窓及び窓エンハンスメント装置の両方の対応する表面上に配置される、
ことを特徴とする請求項１に記載の方法。
【請求項２９】  前記窓は、前記視界窓ガラスを支持するように構成され適合された窓枠部分を更に含み、
前記窓に適用された装着手段は、前記窓枠部分上に配置される、
ことを特徴とする請求項２８に記載の方法。
【請求項３０】  前記窓エンハンスメント装置上に塗布される反射防止被膜を塗布する段階を更に含むことを特徴とする請求項１に記載の方法。
【請求項３１】  前記窓は、連続して配置された複数の前記視界窓ガラスを含み、
前記窓ガラスの各々は、窓枠によって少なくとも１つの隣接する窓ガラスから間隔を空けて置かれ、
少なくとも１つの前記窓エンハンスメント装置は、前記装着手段により、前記空間に隣接する少なくとも１つの前記窓ガラスの内側部分上に固定される、
ことを特徴とする請求項１に記載の方法。
【請求項３２】  前記窓は、連続して配置され前記窓枠により間隔を空けて置かれた２つの視界窓ガラスを含む二重ガラス窓であり、
前記窓エンハンスメント装置は、少なくとも１つの前記視界窓ガラスの内面上に配置され、前記空間に露出された表面を有する、
ことを特徴とする請求項３１に記載の方法。
【請求項３３】  少なくとも１つの窓ガラスを窓エンハンスメント装置と組み合わせることにより多重窓ガラスの窓を改良する方法であって、
窓枠部分と、この窓枠内に連続して配置された複数の比較的透明な視界窓ガラスとを含む窓を準備する段階、
を含み、
前記窓枠が、前記視界窓ガラスを前記連続形態で支持するように構成及び適合され、前記窓ガラスの各々が、分離された窓ガラス間の空間だけ、少なくとも１つの隣接する窓ガラスから分離され、
前記窓と組み合わせるために、切換可能な窓エンハンスメント装置及び切換不能な窓エンハンスメント装置から成る群から選ばれた少なくとも１つの窓エンハンスメント装置を準備する段階と、
少なくとも１つの前記視界窓ガラスの少なくとも一部分上の、前記窓ガラスの隣接するものから前記空間だけ分離された前記視界ガラスの内面上に、装着手段を使用して窓エンハンスメント装置を固定する段階と、
を更に含むことを特徴とする方法。
【請求項３４】  前記窓エンハンスメント装置は、切換可能なグレイジングであることを特徴とする請求項３３に記載の方法。
【請求項３５】  前記切換可能なグレイジングは、ＳＰＤフィルム、ＳＰＤ光弁、エレクトロクロミックフィルム又はウインドウ、及び、液晶フィルム又はウインドウから成る群から選ばれることを特徴とする請求項３４に記載の方法。
【請求項３６】  前記窓エンハンスメント装置は、切換不能な光変調装置であることを特徴とする請求項３３に記載の方法。
【請求項３７】  前記切換不能な光変調装置は、着色ウインドウ、スクリーン、太陽光制御フィルム、耐衝撃フィルム、及び、可撓性又は剛性パネルから成る群から選ばれることを特徴とする請求項３６に記載の方法。
【請求項３８】  窓を窓エンハンスメント装置と組み合わせることにより窓を改良する方法であって、
各々が第１及び第２の反対側の視界面を有する少なくとも１つの比較的透明な視界窓ガラスと、前記少なくとも１つの窓ガラスを固定及び支持するようになっている窓枠部分とを含む窓を準備する段階と、
前記エンハンスメント装置の剛性を増大させるために、切換可能な窓エンハンスメント装置をガラス又はプラスチック基板に貼合わせる段階と、
貼り合わせた積層体を前記窓上に固定するようになっている複数の装着手段を準備する段階と、
前記積層体と少なくとも１つの前記視界窓ガラスとの間に、積層体と視界窓ガラスとの間の区域において実質的に一定の幅を有する間隙が作り出されるように、積層体を前記装着手段を用いて窓に固定する段階と、
を含むことを特徴とする方法。
【請求項３９】  前記窓上の装着手段が、前記窓枠部分に適用されることを特徴とする請求項３８に記載の方法。
【請求項４０】  窓を窓強化装置と組み合わせることにより窓を改装する方法であって、
第１及び第２の反対側の視界面を有する比較的透明な視界窓ガラスを含む窓を準備する段階と、
窓強化装置を前記窓に固定するようになっている少なくとも１つの装着手段を準備する段階と、
少なくとも１つの装着手段を用いて、強化装置が前記視界窓ガラスの少なくとも一部分の上に重なり、その強化装置が前記少なくとも１つの装着手段と接触しない区域において間隙が窓ガラスと強化装置との間に作り出されるように、可視光及び赤外線から成る群から選ばれた電磁放射線の通過を選択的に制御するようになっている窓強化装置を前記窓に固定する段階と、
を含むことを特徴とする方法。
【請求項４１】  前記少なくとも１つの装着手段は、窓の視界窓ガラス上に取付けられることを特徴とする請求項４０に記載の方法。
【請求項４２】  前記装着手段は、固定ストリップ、磁性棒、フック及びループ留め具、ネジ、釘、ボルト、スナップ、リベット、及び、止め釘から成る群から選ばれることを特徴とする請求項４０に記載の方法。
【請求項４３】  最初に前記窓強化装置を比較的堅いガラス又はプラスチック基板に貼合わせる段階、及び、得られた積層体をその後に前記装着手段を用いて前記窓に固定する段階を更に含むことを特徴とする請求項４０に記載の方法。
【請求項４４】  前記窓強化装置は、切換可能なグレイジング又は切換不能な光変調装置であることを特徴とする請求項４０に記載の方法。
【請求項４５】  前記窓は、窓枠部分を更に含み、
前記少なくとも１つの装着手段は、前記窓枠部分上に設置される、
ことを特徴とする請求項４０に記載の方法。
【請求項４６】  窓強化装置及び窓間の間隙の所定幅の維持を容易にするように配置及び適合された少なくとも１つの突出スペーサ部材を、前記窓又は前記窓強化装置に設ける段階を更に含むことを特徴とする請求項４０に記載の方法。
【請求項４７】  窓及び窓強化装置の両方の上の対応する位置に装着手段を配置する段階を更に含むことを特徴とする請求項４０に記載の方法。
【請求項４８】  反射防止被膜を前記窓強化装置上に塗布する段階を更に含むことを特徴とする請求項４０に記載の方法。
【請求項４９】  前記窓は、連続して配置された複数の前記視界窓ガラスを含み、
前記窓ガラスの各々は、窓枠によって少なくとも１つの隣接する窓ガラスから間隔を空けて置かれ、
少なくとも１つの前記窓強化装置は、前記空間に隣接する少なくとも１つの前記窓ガラスの内側部分上に前記装着手段によって固定される、
ことを特徴とする請求項４０に記載の方法。
【請求項５０】  窓を窓強化装置と組み合わせることにより窓を改装する方法であって、
第１及び第２の反対側の視界面を有する比較的透明な視界窓ガラスを含む窓を準備する段階と、
窓強化装置を前記窓に固定するようになっている少なくとも１つの装着手段を準備する段階と、
少なくとも１つの装着手段を用いて、強化装置が前記視界窓ガラスの少なくとも一部分の上に重なり、強化装置が前記少なくとも１つの装着手段と接触しない区域において間隙が窓ガラスと強化装置との間に作り出されるように、窓強化装置を前記窓に固定する段階と、
を含み、
前記装着手段の各々は、磁性材料を含み、
前記手段は、対応する装着手段の間の磁力により窓強化装置が少なくとも部分的に前記窓に固定されるように、窓及び窓強化装置の両方の対応する表面上に配置される、
ことを特徴とする方法。
【請求項５１】  最初に前記窓強化装置を比較的堅いガラス又はプラスチック基板に貼合わせる段階、及び、得られた積層体をその後に前記装着手段を用いて前記窓に固定する段階を更に含むことを特徴とする請求項５０に記載の方法。
【請求項５２】  前記窓強化装置は、切換可能なグレイジング又は切換不能な光変調装置であることを特徴とする請求項５０に記載の方法。
【請求項５３】  前記窓は、窓枠部分を更に含み、
前記少なくとも１つの装着手段は、前記窓枠部分上に設置される、
ことを特徴とする請求項５０に記載の方法。
【請求項５４】  窓強化装置及び窓間の間隙の所定幅の維持を容易にするように配置及び適合された少なくとも１つの突出スペーサ部材を、前記窓又は前記窓強化装置に設ける段階を更に含むことを特徴とする請求項５０に記載の方法。
【請求項５５】  前記窓は、連続して配置された複数の前記視界窓ガラスを含み、
前記窓ガラスの各々は、窓枠によって少なくとも１つの隣接する窓ガラスから間隔を空けて置かれ、
少なくとも１つの前記窓強化装置は、前記空間に隣接する少なくとも１つの前記窓ガラスの内側部分上に前記装着手段によって固定される、
ことを特徴とする請求項５０に記載の方法。
【請求項５６】  窓を窓強化装置と組み合わせることにより窓を改装する方法であって、
第１及び第２の反対側の視界面を有する比較的透明な視界窓ガラスを含む窓を準備する段階と、
窓強化装置を前記窓に固定するようになっている少なくとも１つの装着手段を準備する段階と、
少なくとも１つの装着手段を用いて、強化装置が前記視界窓ガラスの少なくとも一部分の上に重なり、強化装置が前記少なくとも１つの装着手段と接触しない区域において間隙が窓ガラスと強化装置との間に作り出されるように、窓強化装置を前記窓に固定する段階と、
を含み、
前記装着手段の各々は、フック及びループ構造を含み、
前記装着手段は、対応する装着手段上に位置する前記フック及び前記ループ間の係合により窓強化装置が少なくとも部分的に前記窓に固定されるように、窓及び窓強化装置の両方の対応する表面上に配置される、
ことを特徴とする方法。
【請求項５７】  最初に前記窓強化装置を比較的堅いガラス又はプラスチック基板に貼合わせる段階、及び、得られた積層体をその後に前記装着手段を用いて前記窓に固定する段階を更に含むことを特徴とする請求項５６に記載の方法。
【請求項５８】  前記窓強化装置は、切換可能なグレイジング又は切換不能な光変調装置であることを特徴とする請求項５６に記載の方法。
【請求項５９】  前記窓は、窓枠部分を更に含み、
前記少なくとも１つの装着手段は、前記窓枠部分上に設置される、
ことを特徴とする請求項５６に記載の方法。
【請求項６０】  窓強化装置及び窓間の間隙の所定幅の維持を容易にするように配置及び適合された少なくとも１つの突出スペーサ部材を、前記窓又は前記窓強化装置に設ける段階を更に含むことを特徴とする請求項５６に記載の方法。
【請求項６１】  前記窓は、連続して配置された複数の前記視界窓ガラスを含み、
前記窓ガラスの各々は、窓枠によって少なくとも１つの隣接する窓ガラスから間隔を空けて置かれ、
少なくとも１つの前記窓強化装置は、前記空間に隣接する少なくとも１つの前記窓ガラスの内側部分上に前記装着手段によって固定される、
ことを特徴とする請求項４０に記載の方法。